(57)【要約】【課題】  本発明の課題は、ホース取り付け部内や吸込口内に粉じんが堆積しない木工用集じん機を提供することである。【解決手段】  吸込口８に着脱可能に設けられるノズル５に木片等の進入を防止するリブ等のストッパ７と、先端部にホース１０の他端４を着脱可能に係止する係止部６を形成し、ノズル５の係止部６側一端の内径寸法をホース１０の内径寸法とほぼ同寸法とすると共に、ノズル５内壁を係止部６側一端から他端に向かうに従って内径寸法が滑らかに変化する形状とした。【選択図】  図３
2005138453.tif 000002
【特許請求の範囲】
【請求項１】
モータによって回転するファンと、該ファンを収納するファンケースと、該ファンケースに設けられ、ダストバックを着脱可能に係止できる吐出口と、該ファンケースに設けられ、一端が手持ち形電動工具の屑排出口に取付けられたホースの他端を着脱可能に係止できる吸込口とを有した木工用集じん機において、
前記ファンケースの前記吸込口内部に木片等の進入を防止するリブ等のストッパと、先端部に前記ホースの他端を着脱可能に係止する係止部を形成し、前記吸込口の前記係止部側一端の内径寸法を前記ホース他端の内径寸法とほぼ同寸法とすると共に、前記吸込口内壁を前記係止部側一端から他端に向かうに従って内径寸法が滑らかに変化する形状としたことを特徴とする木工用集じん機。
【請求項２】
モータによって回転するファンと、該ファンを収納するファンケースと、該ファンケースに設けられ、ダストバックを着脱可能に係止できる吐出口と、該ファンケースに設けられた吸込口と、該吸込口に着脱可能に設けられ、一端が手持ち形電動工具の屑排出口に取付けられたホースの他端を着脱可能に係止できるノズルとを有した木工用集じん機において、
前記ノズルに木片等の進入を防止するリブ等のストッパと、先端部に前記ホースの他端を着脱可能に係止する係止部を形成し、前記ノズルの前記係止部側一端の内径寸法を前記ホース他端の内径寸法とほぼ同寸法とすると共に、前記ノズル内壁を前記係止部側一端から他端に向かうに従って内径寸法が滑らかに変化する形状としたことを特徴とする木工用集じん機。
【発明の詳細な説明】
【技術分野】
【０００１】
本発明は、ダストバックを着脱可能な吐出口と、一端が手持ち形電動工具の屑排出口に取付けられたホースの他端を着脱可能な吸込口を有する集じん機に関するものである。
【背景技術】
【０００２】
従来の木工用集じん機の一例について図５〜図７を用いて説明する。
【０００３】
木工用集じん機は木材や石膏ボードや外壁材などの建築材料を切断する際に発生する粉じん９を集じんする用途で使用される。手持ち形電動工具から排出された粉じん９はファン１４の回転による吸込力により、吸込口８に着脱自在に係止されたホース１０、ホース取り付け部４を通過して、ファンケース３内部に空気と共に搬送される。ファンケース３内部に搬送された粉じん９は、ファンケース３の吐出口１に着脱自在に取付けられたダストバッグ１１内に吐き出される。吐き出された粉じん９は、ダストバッグ１１のろ過機能により、粉じん９と空気に分離され、粉じん９はダストバッグ１１内へ捕集される。吸込口８には木片等を吸い込んだ場合、ファン１４を破損しないように木片等が容易に入らないように進入防止用のリブ７が設けられている。
【０００４】
【特許文献１】特開平９−７５６４５号公報
【発明の開示】
【発明が解決しようとする課題】
【０００５】
上記のような木工用集じん機では、ホース１０は手持ち形電動工具の操作性の観点から、屈曲性、重さの点を重視し、できるだけ細いホース１０が使用される。また、吸込口８のリブ成形部は、木片等の進入等時、粉じん詰まりを引き起こしづらくするようホース１０内径の２倍以上とするのが一般的である。結果的に図６のように、ホース１０から吸込口８間で、粉じん９の通過面の断面積が急激に変化する形状となっていた。よって、ホース１０から吸込口８を通過する粉じん９は、前記断面積が大きくなった所で、搬送速度が急激に失速する。搬送速度が失速することにより、ホース取り付け部４内や吸込口８内に粉じん９が堆積するという問題があった。
【０００６】
本発明の目的は、上記問題点を解消し、ホース取り付け部内や吸込口内に粉じんが堆積しない木工用集じん機を提供することにある。
【課題を解決するための手段】
【０００７】
上記目的は、ファンケースの吸込口内部に木片等の進入を防止するリブ等のストッパと、先端部にホースの他端を着脱可能に係止する係止部を形成し、吸込口の係止部側一端の内径寸法をホース他端の内径寸法とほぼ同寸法とすると共に、吸込口内壁を係止部側一端から他端に向かうに従って内径寸法が滑らかに変化する形状とすることにより達成される。
【０００８】
または、吸込口に着脱可能に設けられるノズルに木片等の進入を防止するリブ等のストッパと、先端部にホースの他端を着脱可能に係止する係止部を形成し、ノズルの係止部側一端の内径寸法をホース他端の内径寸法とほぼ同寸法とすると共に、ノズル内壁を係止部側一端から他端に向かうに従って内径寸法が滑らかに漸変する形状とすることにより達成される。
【発明の効果】
【０００９】
本発明によれば、吸込口内壁あるいはノズル内壁を係止部側一端から他端に向かうに従って内径寸法が滑らかに漸変する形状としたことにより、ホースから吸込口を通過する粉じんの搬送速度が急激に失速するようなことがなくなり、ホース取り付け部内や吸込口内に粉じんが堆積しない木工用集じん機を提供することができるようになる。
【発明を実施するための最良の形態】
【００１０】
本発明木工用集じん機の一実施形態を図１〜図４により説明する。
【００１１】
木工用集じん機は機体に内蔵されたモータ１３の回転軸にファン１４を固着し、ファン１４はファンケース３で覆い、該ファンケース３にそれぞれ吸込口８、吐出口１を設けた構成をしている。
【００１２】
吸込口８には、内径部に木片等の侵入を防止するリブ７等のストッパを有したノズル５が取付けられており、該ノズル５内部は一端がホース１０内径、他端が吸込口８内径とほぼ同寸法の内径寸法に形成され、その間が滑らかに内径寸法が漸変する形状をしている。
【００１３】
ホース１０は、ホース１０の他端であるホース取り付け部４がノズル５の係止部である突起６と係合することにより着脱自在に係止されている。吐出口１には溝部２を設け、ダストバッグ１１を着脱自在に係止した集じん機を構成する。
【００１４】
粉じん９はファン１４の回転により発生する吸込力により、ノズル５に接続したホース１０を通過して、吸込口８からファンケース３の内部へと図の矢印のように搬送される。ファンケース３内に搬送された粉じん９は、ファン１４の遠心力により、吐出口１からダストバッグ１１の内部に図の矢印のように吐き出される。吐き出された粉じん９は、ダストバッグ１１で粉じん９と空気に分離され、粉じん９はダストバッグ１１内に捕集され、空気は大気中に放出される。
【００１５】
上記したように、吸込口８に着脱可能に設けられるノズル５に木片等の進入を防止するリブ等のストッパ７と、先端部にホース１０の他端４を着脱可能に係止する係止部６を形成し、ノズル５の係止部６側一端の内径寸法をホース１０の内径寸法とほぼ同寸法とすると共に、ノズル５内壁を係止部６側一端から他端に向かうに従って内径寸法が滑らかに変化する形状としたことにより、ノズル５内において急激な断面積変化がなくなる。よって、粉じん９の搬送速度変化が少なくなり、ホース取り付け部４内、ノズル５内に粉じん９が堆積しない木工用集じん機が提供できる。
【００１６】
なお、上記したノズル５内壁はノズル５の軸方向に対して、約８度の角度で傾斜した形状をしている。
【００１７】
本実施形態のノズル５の変わりにファンケース３の吸込口８を延長させた形状とし、吸込口８にホースの一端を着脱可能に係止する係止部を設けた構成としても同様の効果を奏でることができる。
【図面の簡単な説明】
【００１８】
【図１】本発明集じん機の一実施形態を示す正面図。
【図２】本発明集じん機の一実施形態を示す要部拡大断面図。
【図３】本発明集じん機の一実施形態を示す要部断面側面図。
【図４】本発明集じん機の一実施形態を示す要部断面正面図。
【図５】従来の集じん機の一実施形態を示す正面図。
【図６】従来の集じん機の一実施形態を示す要部拡大断面図。
【図７】従来の集じん機の一実施形態を示す要部断面正面図。
【符号の説明】
【００１９】
５はノズル、７はリブ、８は吸込口、１０はホース、１４はファンである。
【図１】
2005138453.tif 000003
【図２】
2005138453.tif 000004
【図３】
2005138453.tif 000005
【図４】
2005138453.tif 000006
【図５】
2005138453.tif 000007
【図６】
2005138453.tif 000008
【図７】
2005138453.tif 000009